【手続補正書】
【提出日】平成16年12月1日(2004.12.1)
【手続補正１】
【補正対象書類名】明細書
【補正対象項目名】特許請求の範囲
【補正方法】変更
【補正の内容】
【特許請求の範囲】
【請求項１】
プロセスデータを分析するための方法であって、
前記プロセスデータを少なくとも３次元に抽象し、
前記３次元のうちの少なくとも１つの次元の前記プロセスデータの可視化を可能にする、第１可視化装置及び第２可視化装置を含む複数の可視化装置を提供し、
前記３次元のうちの少なくとも２つの次元間の少なくとも１つの相関を前記第１可視化装置で示し、
前記３次元のうちの少なくとも１つの次元による数量尺度を前記第２可視化装置で示し、
複数の関心領域（ＲＯＩ）のうちの少なくとも１つの選択であって、前記選択は前記３次元の中から選択された少なくとも１つの次元から得られ、前記第１可視化装置及び前記第２可視化装置のうちの少なくとも一方で示される前記選択を受け取り、
前記ＲＯＩ内に存在する値を備えた、前記プロセスデータの第１部分集合を計算し、
前記プロセスデータの前記第１部分集合に基づき、前記第１可視化装置及び前記第２可視化装置を再描画することを備えたプロセスデータ分析方法。
【請求項２】
患者次元、時間次元、及び診療行為次元を含む少なくとも３次元に診療データを抽象し、
前記診療データの２次元表現及び前記診療データの１次元表現を提供して、前記３次元のうちの少なくとも１つの次元の前記診療データの可視化を可能にし、
前記２次元表現を使用して前記３次元のうちの少なくとも２つの次元間の相関を示し、
前記１次元表現を使用して前記３次元のうちの少なくとも１つの次元による数量尺度を示し、
複数の関心領域（ＲＯＩ）のうちの少なくとも１つの選択であって、前記選択は前記３次元のうちの少なくとも１つの次元から得られ、前記第２次元表現及び前記１次元表現のうちの少なくとも一方で示される前記選択を受け取り、
前記３次元のうちの少なくとも１つの次元に沿って前記ＲＯＩ内に存在する値を備えた、前記プロセスデータの第１部分集合を計算し、
前記プロセスデータの前記第１部分集合に基づき、前記２次元表現及び前記１次元表現を再描画することを備えた、診療プロセスの分析方法。
【請求項３】
プロセスデータを分析するためのコンピュータプログラム製品であって、
前記プロセスデータを少なくとも３次元に抽象するコードと、
前記３次元のうちの少なくとも１つの次元の前記プロセスデータの可視化を可能にする、第１可視化装置及び第２可視化装置を含む複数の可視化装置を提供するコードと、
前記３次元のうちの少なくとも２つの次元間の少なくとも１つの相関を前記第１可視化装置で示すコードと、
前記３次元のうちの少なくとも１つの次元による数量尺度を前記第２可視化装置で示すコードと、
複数の関心領域（ＲＯＩ）のうちの少なくとも１つの選択であって、前記選択は前記３次元のうちの少なくとも１つの次元から得られ、前記第１可視化装置及び前記第２可視化装置のうちの少なくとも一方で示される前記選択を受け取るコードと、
前記３次元のうちの少なくとも１つの次元に沿って前記ＲＯＩ内に存在する値を備えた、前記プロセスデータの第１部分集合を計算するコードと、
前記プロセスデータの前記第１部分集合に基づき、前記第１可視化装置及び前記第２可視化装置を再描画するコードと、
前記コードを含むためのコンピュータ読取り可能な記憶装置と
を備えた、コンピュータプログラム製品。
【請求項４】
プロセスデータを分析する装置であってプロセッサと、
ディスプレイ装置と、
永続的記憶装置と、
前記プロセッサ、前記ディスプレイ装置、及び前記永続的記憶装置を相互接続するするバスと
を備えたプロセスデータの分析装置であって、前記プロセッサが、
前記プロセスデータを少なくとも３次元に抽象し、
前記プロセスデータを前記３次元のうちの少なくとも１次元で可視化することを可能にする、第１可視化装置及び第２可視化装置を含む複数の可視化装置を提供し、
前記３次元のうちの少なくとも２つの次元間の少なくとも１つの相関を前記第１可視化装置で示し、
前記３次元のうちの少なくとも１つの次元による数量尺度を前記第２可視化装置で示し、
複数の関心領域（ＲＯＩ）のうちの少なくとも１つの選択であって、前記選択は前記３次元の中から選択された少なくとも１つの次元から得られ、前記第１可視化装置及び前記第２可視化装置のうちの少なくとも一方で示される前記選択を受け取り、
前記３次元のうちの少なくとも１つの次元に沿って前記ＲＯＩ内に存在する値を備えた、前記プロセスデータの第１部分集合を計算し、
前記プロセスデータの前記第１部分集合に基づき、前記第１可視化装置及び前記第２可視化装置を再描画するように構成した装置。
【請求項５】
プロセスデータの分析装置であって、
前記プロセスデータを少なくとも３次元に抽出する手段と、
前記３次元のうちの少なくとも１つの次元の前記プロセスデータの可視化を可能にする、第１可視化装置及び第２可視化装置を含む複数の可視化装置を提供する手段と、
前記３次元のうちの少なくとも２つの次元間の少なくとも１つの相関を前記第１可視化装置で示す手段と、
前記３次元のうちの少なくとも１つの次元による数量尺度を前記第２可視化装置で示す手段と、
複数の関心領域（ＲＯＩ）のうちの少なくとも１つの選択であって、前記選択は前記３次元のうちの少なくとも１つの次元から得られ、前記第１可視化装置及び前記第２可視化装置のうちの少なくとも一方で示される前記選択を受け取る手段と、
前記３次元のうちの少なくとも１つの次元に沿って前記ＲＯＩ内に存在する値を備えた、前記プロセスデータの第１部分集合を計算する手段と、
前記プロセスデータの前記第１部分集合に基づき、前記第１可視化装置及び前記第２可視化装置を再描画する手段とを備えた装置。
【請求項６】
データベースサーバと、
アプリケーションサーバとアプリケーションクライアントからなるプロセスデータの分析システムであって、前記アプリケーションクライアントは前記アプリケーションサーバと連絡し、アプリケーションサーバは前記データベースサーバ及び前記アプリケーションクライアントと連絡するアプリケーションサーバと連絡することを備え、
前記アプリケーションサーバが前記データベースサーバに格納された前記プロセスデータを少なくとも３次元に抽象し、かつ前記抽象されたプロセスデータを前記アプリケーションクライアントに転送し、
前記アプリケーションクライアントが、前記３次元のうちの少なくとも１次元の前記プロセスデータの可視化を可能にする第１可視化装置及び第２可視化装置を含む複数の可視化装置を提供し、前記３次元のうちの少なくとも２つの次元間の少なくとも１つの相関が前記第１可視化装置を用いて示され、前記３次元のうちの少なくとも１つの次元による数量尺度が前記第２可視化装置を用いて示され、
前記アプリケーションクライアントが、複数の関心領域（ＲＯＩ）のうちの少なくとも１つの選択であって、前記３次元の中から選択された少なくとも１つの次元から得られ、前記第１可視化装置及び前記第２可視化装置のうちの少なくとも一方で示される前記選択を受け取り、
前記アプリケーションクライアントが、前記３次元のうちの少なくとも１つの次元に沿って前記ＲＯＩ内に存在する値を備えた、前記プロセスデータの第１部分集合を計算し、
前記アプリケーションクライアントが、前記プロセスデータの前記第１部分集合に基づき、前記第１可視化装置及び前記第２可視化装置を再描画するように構成したシステム。